(57)【要約】【課題】病院に関する情報を集計し、リスト表示する。【解決手段】情報取得部２ａは、検査内容／治療実績数などのデータを取得する。リスト作成部２ｂは、取得したデータを集計してリストを作成し、作成したリストをデータベース２ｅに記憶させる。検索部２ｆは、通信部２ｈを介して入力された検索項目に基づいて、データベース２ｅから検索項目を含むリストを検索する。提示部２ｇは、検索されたリストを、通信部２ｈおよびネットワーク６を介して他の装置に提示する。【選択図】図２
2009193120.tif 000002
【特許請求の範囲】
【請求項１】
病院に関する情報を取得する取得手段と、
前記取得手段により取得された前記病院に関する情報を集計しリストを作成するリスト作成手段と、
前記リスト作成手段により作成された前記リストを提示する提示手段と、
を備えることを特徴とする病院情報集計提示装置。
【請求項２】
前記病院に関する情報は、検査内容、前記検査内容の治療実績数、前記検査内容に係る症例の実績数、および前記症例から想定される病名のうち少なくとも１つを含む情報である
ことを特徴とする請求項１に記載の病院情報集計提示装置。
【請求項３】
検査予約待ち日数を算出する算出手段をさらに備え、
前記リスト作成手段は、前記算出手段により算出された前記検査予約待ち日数を前記リストに付加する
ことを特徴とする請求項１または請求項２に記載の病院情報集計提示装置。
【請求項４】
前記リスト作成手段は、前記リストに含まれる医学用語の詳細情報が記憶されているリンク先を取得し、前記リストにさらに付加する
ことを特徴とする請求項１乃至３のいずれかに記載の病院情報集計提示装置。
【請求項５】
前記提示手段は、前記リスト作成手段により作成された前記リストを前記病院が開設するホームページ上に提示する
ことを特徴とする請求項１乃至４のいずれかに記載の病院情報集計提示装置。
【請求項６】
ユーザにより入力された所定の項目が含まれるリストを検索する検索手段をさらに備え、
前記提示手段は、前記検索手段により検索された前記リストを提示する
ことを特徴とする請求項１乃至５のいずれかに記載の病院情報集計提示装置。
【請求項７】
病院に関する情報を取得する取得ステップと、
前記取得ステップにより取得された前記病院に関する情報を集計しリストを作成するリスト作成ステップと、
前記リスト作成ステップにより作成された前記リストを提示する提示ステップと、
を含むことを特徴とする病院情報集計提示装置の制御プログラム。
【発明の詳細な説明】
【技術分野】
【０００１】
本発明は、病院情報集計提示装置およびその制御プログラムに関し、特に、病院における患者獲得、病院間での情報連携、患者側からの病院検索を行うことができる病院情報集計提示装置およびその制御プログラムに関する。
【背景技術】
【０００２】
従来、各病院での患者獲得の手段としては、道路等の看板や病院で発信している冊子やホームページ、もしくは通院患者からの口コミによるものがある。通常、患者の立場または小規模の病院から大規模病院への検査依頼時には、該当する症状や病名等から適切な病院を選定できることが望ましい。
【０００３】
例えば、特許文献１には、患者の生体データを解析して搬送先病院の候補を選定し、選定された病院の稼働状況から患者の受け入れが可能であるか否かを判断して、適切な病院を選定する技術が提案されている。
【特許文献１】特開２００３−１２２８５７号公報
【発明の開示】
【発明が解決しようとする課題】
【０００４】
しかしながら、道路等の看板や病院で発信しているホームページ等では、患者が知りたい情報が乏しいことも多い。そこで、検査／治療／症例などを集計し、集計結果を患者が閲覧することができるようにすれば患者獲得につながると考えられるが、集計には時間と手間がかかるという課題があった。
【０００５】
また、上述した特許文献１に提案されている発明のように、適切な病院を選定できたとしても、実際にその病院に診察や検査を依頼してみなければ、どれだけの待ち状態があるのかを把握することができなかった。
【０００６】
本発明はこのような状況に鑑みてなされたものであり、その目的は、病院の検査／治療／症例を集計し、集計結果を提示することで、病院における患者獲得、病院間での情報連携、患者側からの病院検索を行うことができる病院情報集計提示装置およびその制御プログラムを提供することである。
【課題を解決するための手段】
【０００７】
本発明の実施の形態に係る第１の特徴は、病院情報集計提示装置において、病院に関する情報を取得する取得手段と、取得手段により取得された病院に関する情報を集計する集計手段と、集計手段により集計された病院に関する情報に基づいて、リストを作成するリスト作成手段と、リスト作成手段により作成されたリストを提示する提示手段と、を備える。
【０００８】
本発明の実施の形態に係る第２の特徴は、病院情報集計提示装置の制御プログラムにおいて、病院に関する情報を取得する取得ステップと、取得ステップにより取得された病院に関する情報を集計する集計ステップと、集計ステップにより集計された病院に関する情報に基づいて、リストを作成するリスト作成ステップと、リスト作成ステップにより作成されたリストを提示する提示ステップと、を含む。
【発明の効果】
【０００９】
本発明によれば、病院の検査／治療／症例を集計し、集計結果を提示することで、病院における患者獲得、病院間での情報連携、患者側からの病院検索を行うことが可能となる。
【発明を実施するための最良の形態】
【００１０】
以下、本発明の実施の形態について図面を参照して詳細に説明する。
【００１１】
図１は、本発明を適用した病院情報提示・閲覧システムの構成例を示す図である。この病院情報提示・閲覧システムにおいては、病院１内に設置されている病院情報集計・提示装置２がHIS（Hospital Information System）３、RIS（Radiology Information System）４、読影レポートシステム５に接続されるとともに、ネットワーク６を介して、患者の自宅に設置されているパーソナルコンピュータ７（図１においては「ＰＣ」と表わす）、患者が所有する携帯電話機８、および他の病院９と接続されている。
【００１２】
病院情報集計・提示装置２は、一般的なコンピュータからなり、プログラムとこのプログラム処理に必要となるデータを記憶する主記憶装置（例えばHDD（Hard Disc Drive））、プログラムおよびデータに基づいて演算処理を行なうCPU(Central Processing Unit)などから構成されている。病院情報集計・提示装置２は、HIS３やRIS４から検査内容／治療実績数に関するデータを取得し、読影レポートシステム５から想定病名および症例情報に関するデータを取得する。病院情報集計・提示装置２は、取得したデータを集計してリスト化し、病院１が開設するホームページ上で閲覧できるように加工する。
【００１３】
HIS３は、病院内の事務的な情報を統括的に管理する病院情報管理システムである。例えば、HIS３は、会計や検査の予約、薬の処方、食事の管理などの情報を管理している。RIS４は、放射線部門内における医療情報を統括的に管理する放射線部門情報管理システムである。例えば、RIS４は、HIS３と連携し、放射線部門の患者登録、予約、診断結果登録、薬品、フィルム等の情報や実際に行われた検査内容、その検査内容の治療実績等を管理している。読影レポートシステム５は、読影レポートを統括的に管理するシステムである。ここで読影レポートとは、医師が、HIS３やRIS４から取得した検査情報に基づいて読影を行い、検査の状況、異常の記載、および症例に係る想定病名、症例情報（例えば、その症例に該当する診療科や使用された検査装置など）等を記述したレポートである。
【００１４】
ネットワーク６は、公衆回線網、ローカルエリアネットワーク、またはインターネットなどのネットワーク、デジタル衛星放送といった、有線または無線のいずれのものでもよい。
【００１５】
パーソナルコンピュータ（ＰＣ）７は、プログラムとこのプログラム処理に必要となるデータを記憶する主記憶装置、プログラムおよびデータに基づいて演算処理を行なうCPUなどから構成される。パーソナルコンピュータ７で実行されるWebブラウザは、患者の操作に基づいて、病院１が開設するホームページにアクセスすることにより、ネットワーク６を介して病院情報集計・提示装置２から送信されてくるHTMLファイルを受信する。そして、Webブラウザは、受信したHTMLファイルに対応する画像をモニタ表示させる。これにより、患者は、病院１が開設するホームページの閲覧を行うことができる。
【００１６】
同様に、携帯電話機８や他の病院９に設置されたコンピュータにおいても、病院１が開設するホームページにアクセスして閲覧を行うことができる。
【００１７】
なお、本発明の実施の形態では、病院情報集計・提示装置２は、HIS３と別体で図示しているが、もちろんHIS３が病院に関する集計情報のリスト化および提示を行うようにしてもよい。また、パーソナルコンピュータ７、携帯電話機８、および病院９の数は任意であり、図１に示されるように３つに限られるものではない。
【００１８】
図２は、病院情報集計・提示装置２の機能構成例を示すブロック図である。図２に示す機能部のうちの少なくとも一部は、情報集計・提示プログラムなどがCPUにより読み込まれ、実行されることによって実現される。
【００１９】
情報取得部２ａは、HIS３やRIS４から検査内容、およびその検査内容の治療実績数に関するデータを取得し、取得した検査内容／治療実績数のデータをリスト作成部２ｂに供給する。また情報取得部２ａは、読影レポートシステム５から、症例から想定される病名、および症例情報に関するデータを取得し、取得した想定病名および症例情報のデータをリスト作成部２ｂに供給する。さらに情報取得部２ａは、HIS３やRIS４から検査予約状況に関するデータを取得し、取得した検査予約状況データを予約待ち日数算出部２ｃに供給する。すなわち、情報取得部２ａは、検査内容／治療実績数のデータ、想定病名、および症例情報のデータといった病院に関する情報を取得する取得手段としての役割を果たす。
【００２０】
リスト作成部２ｂは、情報取得部２ａから供給された検査内容／治療実績数のデータ、想定病名、および症例情報のデータを集計してリストを作成するリスト作成手段として機能する。またリスト作成部２ｂは、予約待ち日数算出部２ｃから供給される予約待ち日数を、作成したリストに付加する。さらにリスト作成部２ｂは、作成したリスト中の検査名、治療名、病名、および症例などの医学用語に関する詳細情報のリンク先を医学辞書データベース（ＤＢ）２ｄから取得し、作成リストに付加する。ここで作成されるリストの詳細は、図３乃至図７でまとめて後述する。リスト作成部２ｂは、作成したリストを病院１が開設するホームページ上で閲覧できるようにHTML（Hypertext Markup Language）ファイルに加工し、データベース（ＤＢ）２ｅに記憶させる。
【００２１】
予約待ち日数算出部２ｃは、情報取得部２ａから取得した検査予約状況データに基づいて予約待ち日数を算出し、算出結果をリスト作成部２ｂに供給する予約待ち日数算出手段である。予約待ち日数は、例えば、「検査予定日−検査の予約を入れた日」により算出される。医学辞書データベース２ｄは、検査名、治療名、病名、および症例などの医学用語に関する詳細情報を記憶している。これらの詳細情報は、病院情報集計・提示装置２の管理者等により予め記憶される。データベース２ｅは、例えば、HDDで構成され、リスト作成部２ｂで作成されたリストを記憶する。
【００２２】
検索部２ｆは、通信部２ｈを介して供給された検索項目から、その検索項目を含むリストを、データベース２ｅに記憶されているリストの中から検索し、検索したリストを提示部２ｇに出力する。検索項目は、パーソナルコンピュータ７、携帯電話機８、または他の病院９に設置されたコンピュータにおいて患者などによって入力される。
【００２３】
また検索部２ｆは、通信部２ｈを介して供給された所定の項目の詳細情報を取得することの指示に基づいて、医学辞書データベース２ｄから詳細情報を取得し、取得した詳細情報を提示部２ｇに出力する。所定の項目の詳細情報を取得することの指示は、パーソナルコンピュータ７、携帯電話機８、または他の病院９に設置されたコンピュータにおいて患者などによって行われる。
【００２４】
提示部２ｇは、検索部２ｆにより検索されたリストまたは詳細情報を、通信部２ｈおよびネットワーク６を介してパーソナルコンピュータ７、携帯電話機８、または他の病院９に設置されたコンピュータに送信し、患者などに提示する提示手段としての役割を果たす。また、提示部２ｇは、検索部２ｆにより検索されたリストまたは詳細情報を、自身のモニタ（図示せず）に表示させ、患者等に提示する。通信部２ｈは、ネットワーク６を介して、外部の装置との間で通信を行う。
【００２５】
次に、図３乃至図７を参照して、リスト作成部２ｂで作成されるリストについて説明する。リストは、検査名、治療名、病名、症例、症例数、および予約待ち日数などをさまざまなカテゴリに分けてリスト表示するものであり、例えば、症状別リスト、病名別リスト、検査種別／装置別リスト、検査種別／部位別リスト、想定病名別リストがある。
【００２６】
図３は、症状別リストの表示例を示している。図３の例においては、「症状」、「オーダ数」、「該当する病名」、「診療科」、および「予約待ち日数」の項目が設けられ、リスト化されている。またリスト化されている項目のうち、「症状」の項目の「○○○症例」および「△△△症例」、「該当する病名」の項目の「×××病」および「□□□病」に下線が付されているが、これは、その項目の詳細情報にジャンプするためのリンクが張られていることを示している。図示は省略するが、詳細情報へのリンクが張られた項目が選択されると、新たなタブが表示され、そこに詳細情報が表示される。
【００２７】
図４は、病名別リストの表示例を示している。図４の例においては、「病名」、「オーダ数」、「該当する症例」、「診療科」、および「予約待ち日数」の項目が設けられ、リスト化されている。またリスト化されている項目のうち、「病名」の項目の「○○○病」および「△△△病」、「該当する症例」の項目の「×××症例」および「□□□症例」に下線が付されており、詳細情報にジャンプするためのリンクが張られていることを示している。
【００２８】
図５は、検査種別／装置別リストの表示例を示している。図５の例においては、「検査種別名」、「件数」、「該当する装置名」、「読影件数」、「予約待ち日数」、および「緊急件数」の項目が設けられ、リスト化されている。またリスト化されている項目のうち、「検査種別名」の項目の「○○○検査」および「△△△検査」に下線が付されており、詳細情報にジャンプするためのリンクが張られていることを示している。
【００２９】
図６は、検査種別／部位別リストの表示例を示している。図６の例においては、「検査種別名」、「件数」、「該当する部位名」、「読影件数」、および「緊急件数」の項目が設けられ、リスト化されている。またリスト化されている項目のうち、「検査種別名」の項目の「○○○検査」および「△△△検査」に下線が付されており、詳細情報にジャンプするためのリンクが張られていることを示している。
【００３０】
図７は、想定病名別リストの表示例を示している。図７の例においては、「想定病名」、「件数」、「検査種別名」、「読影件数」、および「緊急件数」の項目が設けられ、リスト化されている。またリスト化されている項目のうち、「想定病名」の項目の「○○○病」、「△△△病」、「検査種別名」の項目の「×××検査」、「○○○検査」および「□□□検査」に下線が付されており、詳細情報にジャンプするためのリンクが張られていることを示している。
【００３１】
次に、図８のフローチャートを参照して、図３乃至図７で示したリストの作成処理について説明する。
【００３２】
ステップＳ１において、情報取得部２ａは、HIS３やRIS４から検査内容／治療実績数に関するデータを取得し、読影レポートシステム５から想定病名および症例情報に関するデータを取得する。ステップＳ２において、リスト作成部２ｂは、ステップＳ１の処理で取得したデータを集計してリストを作成する。
【００３３】
ステップＳ３において、情報取得部２ａは、HIS３やRIS４から検査予約状況に関するデータを取得する。ステップＳ４において、予約待ち日数算出部２ｃは、ステップＳ３の処理で取得した検査予約状況データに基づいて、例えば、「検査予定日−検査の予約を入れた日」により予約待ち日数を算出する。ステップＳ５において、リスト作成部２ｂは、ステップＳ４の処理で算出した予約待ち日数を、ステップＳ２の処理で作成したリストに付加する。
【００３４】
ステップＳ６において、リスト作成部２ｂは、作成したリスト中に含まれる検査名、治療名、病名、および症例などの医学用語に関する詳細情報のリンク先を医学辞書データベース２ｄから取得する。ステップＳ７において、リスト作成部２ｂは、ステップＳ６の処理で取得したリンク先を、ステップＳ２の処理で作成したリストに付加する。これにより、図３乃至図７に示したリストが作成される。
【００３５】
ステップＳ８において、リスト作成部２ｂは、作成したリストをHTMLファイルに加工し、データベース２ｅに記憶させる。ステップＳ９において、情報取得部２ａは、日付が変わったか否かを判定し、日付が変わったと判定するまで待機する。そして、情報取得部２ａは、日付が変わったと判定した場合、ステップＳ１に戻り、上述した処理を繰り返す。この処理により、リストが毎日更新される。
【００３６】
以上の処理により、病院１が開設するホームページ上で閲覧することができるようなリストが作成される。また、医学用語には詳細情報へのリンク先が張られるため、閲覧中、患者がわからない医学用語があった場合にその詳細情報を容易に表示させることができる。さらに、検査予約待ち日数が検査単位ごとに表示されるため、患者は、診察や検査を依頼する場合の待ち状態を容易に知ることができる。例えば、図３の例においては、「△△△科」で検査を受けるまでの予約待ち日数は７日、「□□□科」で検査を受けるまでの予約待ち日数は４日とされ、検査を受ける科ごとに予約待ち日数が表示されている。
【００３７】
なお、リストは毎日更新されるものとしたが、この更新のタイミングは任意に変更することが可能である。
【００３８】
次に、図９のフローチャートを参照して、患者がパーソナルコンピュータ７を操作して病院１が開設するホームページにアクセスし、所定のリストを閲覧する処理について説明する。
【００３９】
この処理は、パーソナルコンピュータ７で実行されたWebブラウザが、病院１が開設しているホームページのURL（Uniform Resource Locator）にアクセスする。病院１の病院情報集計・提示装置２のCPUは、アクセスされたHTMLファイルを、ネットワーク６を介してパーソナルコンピュータ７に送信する。これにより、パーソナルコンピュータ７のWebブラウザは、病院情報集計・提示装置２より送信されてきたHTMLファイルを受信し、例えば、図１０に示されるような病院１のホームページをモニタ表示させる。
【００４０】
図１０は、ホームページ全体の表示例を示している。図１０に示されるように、このホームページには、病院１の「診療案内」、「交通案内」などを表示させるときに選択されるボタンの他に、図８のフローチャートを参照して説明した処理によって作成されたリストの閲覧を行うときに選択される「病院情報閲覧」のボタン２１が表示される。「病院情報閲覧」のボタン２１の右隣には、「病院情報閲覧」の内容を表す、「症例、病名、診療科などを検索できます」といった説明文が表示される。この説明文を確認した患者は、「病院情報閲覧」のボタン２１の意味を知ることができる。そして、症例、病名、あるいは診療科などを検索したい場合に、「病院情報閲覧」のボタン２１をクリックする。
【００４１】
ステップＳ２１において、パーソナルコンピュータ７のWebブラウザは、患者により、図１０に示す病院１のホームページ上の「病院情報閲覧」のボタン２１がクリックされたか否かを判定し、「病院情報閲覧」のボタン２１がクリックされるまで待機する。ステップＳ２１において、「病院情報閲覧」のボタン２１がクリックされたと判定した場合、ステップＳ２２に進み、パーソナルコンピュータ７のWebブラウザは、病院情報集計・提示装置２から送信されてきた情報に基づいて、検索画面をモニタに表示させる。
【００４２】
図１１は、検索画面の表示例を示している。図１１に示されるように、検索画面には、患者が閲覧したい情報を検索項目として入力することができる入力エリア３１が表示される。図１１の例の場合、「症状」、「病名」、「診療科」などの項目が表示されており、患者が、所望の項目（例えば、「診療科」）にカーソルを合わせてそこをクリックすると、選択項目の一覧が引き出されるプルダウンメニュー３１ａが表示される。検索画面の下方には、検索を開始するときに操作される「検索」ボタン３２と、検索を終了するときに操作される「終了」ボタン３３が表示される。
【００４３】
図１２は、プルダウンメニューの表示例を示している。図１２の例の場合、「診療科」の選択項目として、「内科」、「外科」、および「小児科」などが表示されており、カーソルＣを上下に移動させることにより所定の項目を選択することができる。
【００４４】
ステップＳ２３において、パーソナルコンピュータ７のWebブラウザは、患者により、検索画面の表示を終了することが指示されたか否か、すなわち、図１１に示す検索画面において、「終了」ボタン３３が選択されたか否かを判定し、検索画面表示終了であると判定した場合、ステップＳ２１に戻り、図１０に示す病院１のホームページを再び表示させ、上述した処理を繰り返す。
【００４５】
ステップＳ２３において、パーソナルコンピュータ７のWebブラウザは、検索画面の表示を終了することが指示されていないと判定した場合、ステップＳ２４に進み、検索項目が入力されたか否か、すなわち、図１１に示す検索画面において、入力エリア３１に所定の項目が入力されたか否かを判定する。ステップＳ２４において、検索項目が入力されていないと判定した場合、パーソナルコンピュータ７のWebブラウザは、ステップＳ２３に戻り、上述した処理を繰り返す。
【００４６】
そして、ステップＳ２４において、検索項目が入力されたと判定した場合、ステップＳ２５に進む。入力された検索項目の情報はパーソナルコンピュータ７の送信部から送信され、ネットワーク６を介して病院情報集計・提示装置２の通信部２ｈにより受信される。通信部２ｈにより受信された検索項目の情報は検索部２ｆに供給される。
【００４７】
検索部２ｆは、通信部２ｈから供給された検索項目に基づいて、データベース２ｅに記憶されているリストの中から、検索項目を含むリストを検索する。提示部２ｇは、検索部２ｆで検索されたリストに対応するHTMLファイルを、通信部２ｈおよびネットワーク６を介してパーソナルコンピュータ７に送信する。この検索部２ｆによるリストの検索処理は、図１３のフローチャートを参照して後述する。
【００４８】
ステップＳ２５において、パーソナルコンピュータ７のWebブラウザは、病院情報集計・提示装置２より送信されてきたリストに対応するHTMLファイルを受信する。ステップＳ２６において、パーソナルコンピュータ７のWebブラウザは、ステップＳ２５の処理で受信したHTMLファイルに基づいて、例えば、図３乃至図７に示したようなリストをモニタ表示させる。
【００４９】
ステップＳ２７において、パーソナルコンピュータ７のWebブラウザは、リストの表示を終了するか否かを判定し、リストの表示を終了すると判定した場合、ステップＳ２２に戻る。そして、図１１に示す検索画面を再び表示させ、上述した処理を繰り返す。
【００５０】
ステップＳ２７において、パーソナルコンピュータ７のWebブラウザは、リストの表示を終了しないと判定した場合、ステップＳ２８に進み、詳細表示が指示されたか否か、すなわち、リスト中の検査名、治療名、病名、および症例などの医学用語に関する詳細情報の表示が指示されたか否かを判定する。例えば、図３に示す症状別リストにおいて、「○○○症例」などのリンク先が張られた項目が選択されたか否かを判定する。ステップＳ２８において、詳細表示が指示されていないと判定した場合、ステップＳ２７に戻り、上述した処理を繰り返す。
【００５１】
ステップＳ２８において、パーソナルコンピュータ７のWebブラウザは、詳細表示が指示されたと判定した場合、ステップＳ２９に進む。入力された詳細表示の指示はパーソナルコンピュータ７の送信部から送信され、ネットワーク６を介して病院情報集計・提示装置２の通信部２ｈにより受信される。通信部２ｈにより受信された詳細表示の指示は検索部２ｆに供給される。
【００５２】
検索部２ｆは、通信部２ｈから供給された詳細表示の指示に基づいて、医学辞書データベース２ｄから、指示された詳細情報を検索する。提示部２ｇは、検索部２ｆで検索された詳細情報に対応するHTMLファイルを、通信部２ｈおよびネットワーク６を介してパーソナルコンピュータ７に送信する。この検索部２ｆによる詳細情報の検索処理は、図１４のフローチャートを参照して後述する。
【００５３】
ステップＳ２９において、パーソナルコンピュータ７のWebブラウザは、病院情報集計・提示装置２より送信されてきた詳細情報に対応するHTMLファイルを受信し、詳細情報をモニタ表示させる。
【００５４】
ステップＳ３０において、パーソナルコンピュータ７のWebブラウザは、詳細情報の表示を終了するか否かを判定し、詳細情報の表示を終了することが指示されるまで待機する。そして、ステップＳ３０において、パーソナルコンピュータ７のWebブラウザは、詳細情報の表示を終了すると判定した場合、ステップＳ２６に戻り、上述した処理を繰り返し実行する。
【００５５】
次に、図１３のフローチャートを参照して、病院１の病院情報集計・提示装置２が実行する、患者により入力された検索項目を含むリストの検索処理について説明する。
【００５６】
ステップＳ４１において、検索部２ｆは、パーソナルコンピュータ７からネットワーク６および通信部２ｈを介して検索項目が入力されたか否かを判定し、検索項目が入力されるまで待機する。そして、検索項目が入力されたと判定した場合、ステップＳ４２に進み、検索部２ｆは、入力された検索項目に基づいて、データベース２ｅに記憶されているリストの中から、検索項目を含むリストを検索する。
【００５７】
ステップＳ４３において、提示部２ｇは、検索部２ｆで検索されたリストに対応するHTMLファイルを、通信部２ｈおよびネットワーク６を介してパーソナルコンピュータ７に送信する。
【００５８】
以上の処理は、パーソナルコンピュータ７、携帯電話機８、または他の病院９のパーソナルコンピュータからネットワーク６を介して、病院情報集計・提示装置２に検索項目が入力される毎に実行される。
【００５９】
次に、図１４のフローチャートを参照して、病院１の病院情報集計・提示装置２が実行する、患者により取得が指示された詳細情報を検索する処理について説明する。
【００６０】
ステップＳ５１において、検索部２ｆは、パーソナルコンピュータ７からネットワーク６および通信部２ｈを介して詳細情報の取得が指示されたか否かを判定し、詳細情報の取得が指示されるまで待機する。そして、詳細情報の取得が指示されたと判定した場合、ステップＳ５２に進み、検索部２ｆは、取得が指示された詳細情報を医学辞書データベース２ｄから検索する。
【００６１】
ステップＳ５３において、提示部２ｇは、検索部２ｆで検索された詳細情報に対応するHTMLファイルを、通信部２ｈおよびネットワーク６を介してパーソナルコンピュータ７に送信する。
【００６２】
以上の処理は、パーソナルコンピュータ７、携帯電話機８、または他の病院９のパーソナルコンピュータからネットワーク６を介して、病院情報集計・提示装置２に詳細情報の取得が指示される毎に実行される。
【００６３】
このように、病院施設内のHIS３、RIS４、および読影レポートシステム５が集計している検査内容、治療実績数、症例、想定病名などをリスト化しHTMLファイルに加工することにより、患者はそのリストを病院１のホームページから容易に閲覧することができる。また、リスト中に、検査予約待ち日数も表示させることができる。さらに、リスト中に含まれる医学用語などの詳細情報も表示させることができる。従って、患者は、病院を選定する際に、このリストを有力な情報源として利用することが可能となる。
【００６４】
また、従来、各病院での患者獲得の手段は、道路等の看板、病院で発信している冊子やホームページ、あるいは通院患者からの口コミによるものしかなかったが、本発明におけるように、検査／治療／症例などが集計されたリストを容易に閲覧することができるようにすることにより、患者獲得につながる。
【００６５】
さらに、小規模の病院から大規模病院へ患者の搬送を行う場合において、小規模病院の医師は、上述したリストを閲覧して、該当する症例や病名等から適切な病院を選定し、選定した病院で患者の受け入れが可能であるか否かを確認することができる。このように、小規模病院と大規模病院の間での情報の連携をスムーズに行うことができる。
【００６６】
なお、病院情報集計・提示装置２は、パーソナルコンピュータ７からのアクセスに基づいて、ネットワーク６を介してリストを提示するようにしたが、例えば、病院情報集計・提示装置２を病院１の入口付近に設置し、訪れた患者が病院情報集計・提示装置２を操作して、リストを表示させることができるようにすることも可能である。
【００６７】
なおこの発明は、上記実施の形態そのままに限定されるものではなく、実施段階ではその要旨を逸脱しない範囲で構成要素を変形して具体化したり、上記実施の形態に開示されている複数の構成要素を適宜組み合わせることにより種々の発明を形成できる。例えば、実施の形態に示される全構成要素から幾つかの構成要素を削除してもよい。さらに、異なる実施の形態に亘る構成要素を適宜組み合わせても良い。
【図面の簡単な説明】
【００６８】
【図１】本発明を適用した病院情報提示・閲覧システムの構成例を示す図である。
【図２】病院情報集計・提示装置のCPUの機能構成例を示すブロック図である。
【図３】症状別リストの表示例を示す図である。
【図４】病名別リストの表示例を示す図である。
【図５】検査種別／装置別リストの表示例を示す図である。
【図６】検査種別／部位別リストの表示例を示す図である。
【図７】想定病名別リストの表示例を示す図である。
【図８】リスト作成処理を説明するフローチャートである。
【図９】閲覧処理を説明するフローチャートである。
【図１０】病院のホームページの表示例を示す図である。
【図１１】検索画面の表示例を示す図である。
【図１２】プルダウンメニューの表示例を示す図である。
【図１３】リスト検索処理を説明するフローチャートである。
【図１４】詳細情報検索処理を説明するフローチャートである。
【符号の説明】
【００６９】
２  病院情報集計・提示装置
２ａ  情報取得部
２ｂ  リスト作成部
２ｃ  予約待ち日数算出部
２ｄ  医学辞書データベース
２ｅ  データベース
２ｆ  検索部２
２ｇ  提示部
２ｈ  通信部
【図１】
2009193120.tif 000003
【図２】
2009193120.tif 000004
【図３】
2009193120.tif 000005
【図４】
2009193120.tif 000006
【図５】
2009193120.tif 000007
【図６】
2009193120.tif 000008
【図７】
2009193120.tif 000009
【図８】
2009193120.tif 000010
【図９】
2009193120.tif 000011
【図１０】
2009193120.tif 000012
【図１１】
2009193120.tif 000013
【図１２】
2009193120.tif 000014
【図１３】
2009193120.tif 000015
【図１４】
2009193120.tif 000016